(57)【要約】【課題】受信制御処理を簡易にできて低機能な制御装置で実現でき、消費電力を低減できる電子時計の提供。【解決手段】電子時計１は、衛星信号を受信する受信部と、衛星信号から取得した取得情報に基づいて生成情報を生成する生成部４１と、前記生成情報を表示する表示部と、受信部を制御する受信制御部４２とを備える。受信制御部４２は、取得情報の種類を設定する取得情報設定部４２１と、受信部を制御して位置情報衛星の捕捉処理を実行する衛星捕捉制御部４２２と、予め設定した所定時間間隔で受信条件を満たしているかを判定する受信状態判定部４２３と、受信条件に満たないと判定した場合は受信を停止し、受信条件を満たしていると判定した場合は受信を継続し、取得情報が取得された場合または受信処理開始時からの経過時間が予め設定したタイムアウト時間を経過した場合は受信を停止する受信停止制御部４２４とを備える。【選択図】図２
2014066551.tif 000002
【特許請求の範囲】
【請求項１】
位置情報衛星を捕捉し、捕捉した前記位置情報衛星から送信される衛星信号を受信する受信部と、
前記受信部が受信した衛星信号から取得した取得情報に基づいて生成情報を生成する生成部と、
前記生成情報を表示する表示部と、
前記受信部を制御する受信制御部と、を備える電子時計であって、
前記受信制御部は、
前記衛星信号から取得する取得情報の種類を設定する取得情報設定部と、
前記受信部を制御して位置情報衛星の捕捉処理を実行する衛星捕捉制御部と、
捕捉された位置情報衛星の捕捉衛星数および捕捉された位置情報衛星から受信した衛星信号の受信信号レベルを、予め設定した所定時間間隔で確認し、前記取得情報設定部で設定された取得情報の種類に応じて設定される受信条件を満たしているかを判定する受信状態判定部と、
前記受信状態判定部で受信条件に満たないと判定した場合は受信を停止し、受信条件を満たしていると判定した場合は受信を継続し、前記取得情報が取得された場合または受信処理開始時からの経過時間が予め設定したタイムアウト時間を経過した場合は受信を停止する受信停止制御部と、
を備えることを特徴とする電子時計。
【請求項２】
請求項１に記載の電子時計において、
前記受信状態判定部は、
前記取得情報の種類が時刻情報の場合は、受信信号レベルが所定閾値以上の位置情報衛星を１つ以上捕捉していることを前記受信条件として設定する
ことを特徴とする電子時計。
【請求項３】
請求項１に記載の電子時計において、
前記受信状態判定部は、
前記取得情報の種類が測位計算に用いる測位計算用情報の場合は、受信信号レベルが所定閾値以上の位置情報衛星を２つ以上捕捉していることを前記受信条件として設定する
ことを特徴とする電子時計。
【請求項４】
請求項１に記載の電子時計において、
前記受信状態判定部は、
前記取得情報の種類が日付情報またはうるう秒情報の場合は、受信信号レベルが所定閾値以上の位置情報衛星を２つ以上捕捉していることを前記受信条件として設定する
ことを特徴とする電子時計。
【請求項５】
請求項１から請求項４のいずれかに記載の電子時計において、
前記受信状態判定部は、
受信処理開始後、第１所定時間が経過した際に前記捕捉衛星数および受信信号レベルの１回目の確認を行い、その後は、前記第１所定時間よりも短い第２所定時間の間隔で前記捕捉衛星数および受信信号レベルを確認する
ことを特徴とする電子時計。
【請求項６】
請求項１から請求項５のいずれかに記載の電子時計において、
前記受信停止制御部は、
前記取得情報の種類が時刻情報の場合は、前記タイムアウト時間を第１タイムアウト時間に設定し、
前記取得情報の種類が時刻情報以外の場合は、前記タイムアウト時間を第１タイムアウト時間よりも長い第２タイムアウト時間に設定する
ことを特徴とする電子時計。
【請求項７】
位置情報衛星を捕捉し、捕捉した前記位置情報衛星から送信される衛星信号を受信する受信部と、
前記受信部が受信した衛星信号から取得した取得情報に基づいて生成情報を生成する生成部と、
前記生成情報を表示する表示部と、
前記受信部を制御する受信制御部と、を備える電子時計の衛星信号受信方法であって、
前記衛星信号から取得する取得情報の種類を設定する取得情報設定工程と、
前記受信部を制御して位置情報衛星の捕捉処理を実行する衛星捕捉制御工程と、
捕捉された位置情報衛星の捕捉衛星数および捕捉された位置情報衛星から受信した衛星信号の受信信号レベルを、予め設定した所定時間間隔で確認し、前記取得情報設定工程で設定された取得情報の種類に応じて設定される受信条件を満たしているかを判定する受信状態判定工程と、
前記受信状態判定工程で受信条件に満たないと判定した場合は受信を停止し、受信条件を満たしていると判定した場合は受信を継続し、前記取得情報が取得された場合または受信処理開始時からの経過時間が予め設定したタイムアウト時間になった場合は受信を停止する受信停止制御工程と、
を備えることを特徴とする電子時計の衛星信号受信方法。
【発明の詳細な説明】
【技術分野】
【０００１】
本発明は、例えばＧＰＳ衛星等の位置情報衛星から送信される衛星信号を受信して現在の日付や時刻等を求める電子時計および電子時計の衛星信号受信方法に関する。
【背景技術】
【０００２】
ＧＰＳ（Global Positioning System）衛星等の位置情報衛星から送信される衛星信号を受信して、時刻修正を行う電子時計が提案されている（特許文献１）。
前記電子時計は、捕捉した位置情報衛星の数および当該位置情報衛星から送信された衛星信号の受信レベルに基づいて、時刻修正情報を生成する制限時間（タイムアウト時間）を変更している。
これにより、捕捉衛星数が多くなったり、衛星信号の受信レベルが高くなって、受信環境が良好であると判断できる場合には、前記制限時間を長くして受信成功率を向上させることができる。
一方、捕捉衛星数が少なかったり、衛星信号の受信レベルが低くなって、受信環境が不良であると判断できる場合には、前記制限時間を短くして無断に電力を消費することを防止することができる。
【先行技術文献】
【特許文献】
【０００３】
【特許文献１】特開２０１０−６０４５６号公報
【発明の概要】
【発明が解決しようとする課題】
【０００４】
しかしながら、前記電子時計は、捕捉衛星数および衛星信号の受信レベルの組み合わせでタイムアウト時間を制御するため、受信制御処理が複雑であった。
このため、高性能な制御装置が必要となり、その分、消費電力も高くなる。従って、腕時計のような電池駆動の電子時計では、持続時間が短くなるため、前記特許文献１の制御を実現することが難しいという問題があった。
【０００５】
本発明の目的は、受信制御処理を簡易にできて低機能な制御装置で実現でき、消費電力を低減できる電子時計および電子時計の衛星信号受信方法を提供することにある。
【課題を解決するための手段】
【０００６】
本発明の電子時計は、位置情報衛星を捕捉し、捕捉した前記位置情報衛星から送信される衛星信号を受信する受信部と、前記受信部が受信した衛星信号から取得した取得情報に基づいて生成情報を生成する生成部と、前記生成情報を表示する表示部と、前記受信部を制御する受信制御部と、を備える電子時計であって、前記受信制御部は、前記衛星信号から取得する取得情報の種類を設定する取得情報設定部と、前記受信部を制御して位置情報衛星の捕捉処理を実行する衛星捕捉制御部と、捕捉された位置情報衛星の捕捉衛星数および捕捉された位置情報衛星から受信した衛星信号の受信信号レベルを、予め設定した所定時間間隔で確認し、前記取得情報設定部で設定された取得情報の種類に応じて設定される受信条件を満たしているかを判定する受信状態判定部と、前記受信状態判定部で受信条件に満たないと判定した場合は受信を停止し、受信条件を満たしていると判定した場合は受信を継続し、前記取得情報が取得された場合または受信処理開始時からの経過時間が予め設定したタイムアウト時間を経過した場合は受信を停止する受信停止制御部と、を備えることを特徴とする。
【０００７】
ここで、前記取得情報の種類は、表示部で表示する生成情報の種類によって設定され、例えば、時刻情報、測位計算に用いる測位計算用情報、日付情報、うるう秒情報などが設定できる。
本発明によれば、取得情報設定部は衛星信号から取得する取得情報の種類を設定する。この際、取得情報は、利用者が電子時計のボタンなどを操作することで設定してもよいし、取得情報設定部が自動的に設定してもよい。また、衛星捕捉制御部は、位置情報衛星の捕捉処理を行う。
そして、受信状態判定部は、捕捉衛星数および受信信号レベルを、予め設定した所定時間間隔で確認し、取得情報に応じて設定された受信条件を満たしているかを判定する。例えば、時刻情報を取得する場合、受信信号レベルが所定閾値以上の衛星を１つ以上捕捉していれば受信条件を満たしていると判定する。なお、予め設定する閾値は、例えば、ＳＮＲ（signal to noise ratio）で「３０」等、正しい取得情報を取得できる信号レベルに設定すればよい。
【０００８】
そして、受信停止制御部は、前記所定時間間隔での確認時に受信条件を満たしていないと判定した場合は受信を停止し、受信条件を満たしている場合は受信を継続する。また、受信停止制御部は、取得情報を取得した時、または、受信処理開始時からの経過時間がタイムアウト時間に達した場合は受信を停止する。
このように、受信停止制御部は、所定時間間隔での受信条件を満たしているか否かの確認結果で、受信の継続や停止を制御する。また、取得情報を取得できない場合に受信処理を終了するためのタイムアウト時間も、取得情報の種類に応じて固定されている。
このため、従来のように、捕捉衛星数および受信レベルでタイムアウト時間を変更して制御する場合に比べて、受信制御を簡単にできる。
従って、受信制御処理を簡易にできて低機能な制御装置で実現でき、消費電力を低減できる。このため、本発明の受信制御は、ソーラー電池で充電される二次電池等の電池駆動の腕時計にも組み込むことができる。
また、所定時間間隔での受信条件を満たしていない場合にはタイムアウト時間内であっても受信を停止するため、受信環境が悪い状態で無駄に受信処理を継続することがなく、無駄な電力消費を抑制でき、持続時間も長くできる。
さらに、受信条件の判定時に条件に満たないと判定した場合は、即座に受信を停止するため、受信が困難な環境にいることを早期にユーザーに通知できる。従って、ユーザーに受信環境を変えてもらうことができ、再度の強制受信操作などを行うことで、受信に成功する確率も向上できる。
【０００９】
本発明の電子時計において、前記受信状態判定部は、前記取得情報の種類が時刻情報の場合は、受信信号レベルが所定閾値以上の位置情報衛星を１つ以上捕捉していることを前記受信条件として設定することが好ましい。
【００１０】
時刻情報は、１つの位置情報衛星から送信される衛星信号から取得できる。従って、所定閾値以上の受信信号レベルの位置情報衛星を１つ以上捕捉していれば、受信を継続することで時刻情報を取得できる。
一方、所定閾値以上の受信信号レベルの位置情報衛星を１つも捕捉できない場合には、受信を継続しても時刻情報を取得できる可能性が低い。この場合、受信を停止できるので、無駄な受信処理を継続することがなく、消費電力も抑制できる。
【００１１】
本発明の電子時計において、前記受信状態判定部は、前記取得情報の種類が測位計算に用いる測位計算用情報の場合は、受信信号レベルが所定閾値以上の位置情報衛星を２つ以上捕捉していることを前記受信条件として設定することが好ましい。
【００１２】
測位計算に用いる測位計算用情報は、エフェメリス等の軌道情報等であり、４つの位置情報衛星から送信される衛星信号から取得できる。このため、所定閾値以上の受信信号レベルの位置情報衛星を２つ以上捕捉していれば、衛星信号の受信に適した場所に電子時計を配置していると推測できる。従って、受信を継続することで、他の位置情報衛星も捕捉でき、時刻情報を取得できる可能性が高い。
一方、所定閾値以上の受信信号レベルの位置情報衛星を１つしか捕捉できない場合には、例えば、屋内において窓から１つの衛星信号のみを受信できる環境にある場合などが想定でき、受信を継続しても測位計算用情報を取得できる可能性が低い。この場合、受信を早期に停止できるので、無駄な受信処理を継続することがなく、消費電力も抑制できる。
【００１３】
本発明の電子時計において、前記受信状態判定部は、前記取得情報の種類が日付情報またはうるう秒情報の場合は、受信信号レベルが所定閾値以上の位置情報衛星を２つ以上捕捉していることを前記受信条件として設定することが好ましい。
【００１４】
日付情報、うるう秒情報は、１つの位置情報衛星から送信される衛星信号から取得できるが、データの整合性をチェックするためには、複数の衛星から情報を取得して同じ値になるかを確認することが好ましい。
このため、所定閾値以上の受信信号レベルの位置情報衛星を２つ以上捕捉していれば、受信を継続することで、複数の位置情報衛星から衛星信号を受信して整合することができ、日付情報やうるう秒情報を確実に取得できる。
一方、所定閾値以上の受信信号レベルの位置情報衛星を１つしか捕捉できない場合には、例えば、屋内において窓から１つの衛星信号のみを受信できる環境にある場合などが想定でき、受信を継続しても複数の衛星から情報を取得できる可能性が低い。この場合、受信を停止できるので、無駄な受信処理を継続することがなく、消費電力も抑制できる。
【００１５】
本発明の電子時計において、前記受信状態判定部は、受信処理開始後、第１所定時間が経過した際に前記捕捉衛星数および受信信号レベルの１回目の確認を行い、その後は、前記第１所定時間よりも短い第２所定時間の間隔で前記捕捉衛星数および受信信号レベルを確認することが好ましい。
【００１６】
本発明によれば、受信処理開始後、第１所定時間（例えば３０秒）の経過後に最初の受信状態を確認し、その後は、第２所定時間（第１所定時間よりも短い時間であり、例えば１５秒）が経過する毎に受信状態を確認する。
受信処理開始後の最初の判定時までの時間が短いと、特に、複数の衛星を捕捉していることが受信継続の条件となっている場合に、その条件に該当することができない可能性が高まる。この場合、受信開始後、第１回目の判定で受信を停止してしまい、情報を取得する確率が低下する。
本発明では、第１回目の判定は第１所定時間経過後にしているので、受信環境が良好であれば複数の衛星を捕捉して前記受信条件を満たして受信を継続することができる。
さらに、２回目以降は第２所定時間の間隔で受信条件を判定しているので、受信条件が悪化して衛星を捕捉できなくなった場合も、迅速に検出できる。従って、無駄な受信を継続することを防止できる。
【００１７】
本発明の電子時計において、前記受信停止制御部は、前記取得情報の種類が時刻情報の場合は、前記タイムアウト時間を第１タイムアウト時間に設定し、前記取得情報の種類が時刻情報以外の場合は、前記タイムアウト時間を第１タイムアウト時間よりも長い第２タイムアウト時間に設定することが好ましい。
【００１８】
本発明において、タイムアウト時間は取得情報の種類に応じて固定されている。このタイムアウト時間は、すべての取得情報において同じ時間に設定することもできる。一方、本発明のように、取得情報が時刻情報の場合は第１タイムアウト時間（例えば６０秒）に設定し、その他の情報の場合は、第２タイムアウト時間（第１タイムアウト時間よりも長い時間であり、例えば１２０秒）に設定してもよい。
このように構成することで、受信条件は満たして受信を継続しているが、情報を取得できない状態を必要以上に長く続けることがない。この際、時刻情報は他の情報に比べて短い受信時間で取得できるので、第１タイムアウト時間が第２タイムアウト時間よりも短くても、時刻情報を取得する機会は、他の情報と同等に設定できる。
【００１９】
本発明は、位置情報衛星を捕捉し、捕捉した前記位置情報衛星から送信される衛星信号を受信する受信部と、前記受信部が受信した衛星信号から取得した取得情報に基づいて生成情報を生成する生成部と、前記生成情報を表示する表示部と、前記受信部を制御する受信制御部と、を備える電子時計の衛星信号受信方法であって、前記衛星信号から取得する取得情報の種類を設定する取得情報設定工程と、前記受信部を制御して位置情報衛星の捕捉処理を実行する衛星捕捉制御工程と、捕捉された位置情報衛星の捕捉衛星数および捕捉された位置情報衛星から受信した衛星信号の受信信号レベルを、予め設定した所定時間間隔で確認し、前記取得情報設定工程で設定された取得情報の種類に応じて設定される受信条件を満たしているかを判定する受信状態判定工程と、前記受信状態判定工程で受信条件に満たないと判定した場合は受信を停止し、受信条件を満たしていると判定した場合は受信を継続し、前記取得情報が取得された場合または受信処理開始時からの経過時間が予め設定したタイムアウト時間になった場合は受信を停止する受信停止制御工程と、を備えることを特徴とする。
【００２０】
本発明においても、前記電子時計と同じく、一定時間毎に、受信条件を満たすか否かを判定すればよいため、簡単な制御で判定できる。従って、受信制御処理を簡易にできて低機能な制御装置で実現でき、消費電力を低減できる。このため、本発明の受信方法は、ソーラー電池で充電される二次電池等の電池駆動の腕時計にも組み込むことができる。
また、所定時間間隔での受信条件を満たしていない場合には受信を停止するため、受信環境が悪い状態で無駄に受信処理を継続することがなく、無駄な電力消費を抑制でき、持続時間も長くできる。
さらに、受信条件の判定時に条件に満たないと判定した場合は、即座に受信を停止するため、受信が困難な環境にいることを早期にユーザーに通知できる。従って、ユーザーに受信環境を変えてもらうことができ、再度の強制受信操作などを行うことで、受信に成功する確率も向上できる。
【図面の簡単な説明】
【００２１】
【図１】本発明の電子時計を示す平面図である。
【図２】前記電子時計の回路構成を示すブロック図である。
【図３】航法メッセージの構成について説明する図である。
【図４】受信制御処理時の手順を示すフローチャートである。
【図５】受信制御処理時の捕捉衛星数の変化例を示すタイミングチャートである。
【図６】本発明の変形例の手順を示すフローチャートである。
【発明を実施するための形態】
【００２２】
以下、本発明の一実施形態を、添付図面などを参照しながら詳細に説明する。
［電子時計の構造］
図１に示すように、電子時計１は、地球の上空を所定の軌道で周回している複数のＧＰＳ衛星１００（本発明の位置情報衛星）から衛星信号を受信する。この際、電子時計１は、時刻情報を取得する場合には、少なくとも１つのＧＰＳ衛星１００から衛星信号を受信し、測位計算用情報（エフェメリス等の軌道情報等）を取得する場合には、少なくとも３つ（好ましくは４つ）のＧＰＳ衛星１００から衛星信号を受信するように構成される。なお、ＧＰＳ衛星１００は、地球の上空に複数存在している。現在は約３０個のＧＰＳ衛星１００が周回している。
【００２３】
電子時計１は、使用者の手首に装着される腕時計であり、文字板１１および指針１２を備え、時刻を計時して表示する。
文字板１１の大部分は、光および１．５ＧＨｚ帯のマイクロ波が透過し易い非金属の材料（例えば、プラスチックまたはガラス）で形成される。
指針１２は、秒針１２１、分針１２２および時針１２３を備えており、文字板１１の表面側に設けられている。
【００２４】
電子時計１は、入力部として、リューズ１４やボタン１５，１６を備える。電子時計１は、リューズ１４やボタン１５、ボタン１６の手動操作に応じた処理を実行する。例えば、リューズ１４が操作されると、その操作に応じて表示時刻を修正する手動修正処理が実行される。
ボタン１５が長時間（例えば３秒以上の時間）にわたって押されると、衛星信号を受信するための受信処理が実行される（手動受信モード）。
ボタン１６が押されると、受信モード（測時モード、測位モードまたは自動受信無効モード）を切り替える処理が実行される。ボタン１６の操作に応じた受信モードの切り替え処理の結果、測位モードに設定された場合には、秒針１２１が「Ｆｉｘ」の位置（５秒位置）に移動し、測時モードに設定された場合には、秒針１２１が「Ｔｉｍｅ」の位置（１０秒位置）に移動し、自動受信無効モード（受信ＯＦＦモード）に設定された場合には、秒針１２１が「Ｏｆｆ」の位置（５０秒位置）に移動する。このため、ユーザーは設定された受信モードを容易に確認できる。
【００２５】
また、ボタン１５が短時間（例えば３秒未満）押されると、前回の受信処理の結果を表示する結果表示処理が行われる。すなわち、測位モードで受信成功の場合には、秒針１２１が「Ｆｉｘ」（５秒位置）の位置に移動し、測時モードで受信成功の場合には、秒針１２１が「Ｔｉｍｅ」（１０秒位置）の位置に移動する。また、受信失敗の場合には秒針１２１が「Ｎ」の位置（２０秒位置）に移動する。
なお、これらの秒針１２１による指示は受信中も行われる。測位モードで受信中は秒針１２１が「Ｆｉｘ」の位置（５秒位置）に移動し、測時モードで受信中は秒針１２１が「Ｔｉｍｅ」の位置（１０秒位置）に移動する。また、ＧＰＳ衛星が捕捉できない場合は秒針１２１が「Ｎ」の位置（２０秒位置）に移動する。
【００２６】
電子時計１は、ボタン１５による手動受信処理だけでなく、設定された受信時刻に自動的に受信する定刻自動受信処理も行う。
設定された受信時刻とは、例えば、午前２時や午前３時、あるいは午前７時や午前８時等のあらかじめ設定された時刻である。午前２時や３時に設定するのは、電子時計１がユーザーから取り外されて非装着状態で窓際の机などに静止して置かれている可能性が高く、かつ、電気製品などの使用が少なくてノイズの影響も軽減できるため、電波受信環境が良好な可能性が高いためである。また、午前７時や８時に設定するのは、通勤時間帯であり、電子時計１を装着したユーザーが屋外にいて衛星信号を受信しやすいためである。ただし、これらの時刻に限定されるものではなく、ユーザーが自動受信時刻を設定してもよい。
【００２７】
［電子時計の回路構成］
図２は、電子時計１の回路構成を示すブロック図である。この図に示すように、電子時計１は、ＧＰＳアンテナ２０、ＧＰＳ受信回路３０、制御回路４０、記憶部５０、時計部６０、発電装置７０、二次電池８０を備えている。
【００２８】
発電装置７０は、ソーラーパネルおよび充電制御回路を備えて構成されている。そして、発電装置７０で発電された電力は、二次電池８０に充電される。電子時計１の各機器は、二次電池８０から供給される電力で駆動される。
【００２９】
［受信部］
ＧＰＳアンテナ２０は、１．５ＧＨｚ帯のマイクロ波を受信するアンテナであり、文字板１１の裏面側に配置されている。文字板１１に直交する方向において、ＧＰＳアンテナ２０と重なる文字板１１の部分は、１．５ＧＨｚ帯のマイクロ波が透過し易い材料（例えば、導電率および透磁性の低い非金属の材料）で形成されている。
また、ＧＰＳアンテナ２０と文字板１１との間には電極を備えたソーラーパネルが介在しない。よって、ＧＰＳアンテナ２０は、文字板１１を透過した衛星信号を受信することができる。
【００３０】
ＧＰＳ受信回路３０は、図示を略すが、主にＲＦ（Radio Frequency：無線周波数）部と、ＧＰＳ信号処理部を含んで構成されている。ＲＦ部とＧＰＳ信号処理部は、１．５ＧＨｚ帯の衛星信号から航法メッセージに含まれる軌道情報やＧＰＳ時刻等の衛星情報を取得する処理を行う。
【００３１】
ＲＦ部は、高周波信号を中間周波数帯の信号に変換するダウンコンバーターや、その中間周波数帯のアナログ信号をデジタル信号に変換するＡ／Ｄコンバーターなどを備えたＧＰＳ受信機における一般的なものである。
【００３２】
ＧＰＳ信号処理部は、図示を略すがＤＳＰ（Digital Signal Processor）、ＣＰＵ（Central Processing Unit）、ＳＲＡＭ（Static Random Access Memory）、ＲＴＣ（リアルタイムクロック）等を含んで構成され、ＲＦ部から出力されるデジタル信号（中間周波数帯の信号）から航法メッセージを復調し、航法メッセージに含まれる軌道情報やＧＰＳ時刻等の衛星情報を取得する処理を行う。
従って、本実施形態では、ＧＰＳアンテナ２０およびＧＰＳ受信回路３０によって、ＧＰＳ衛星から送信される衛星信号を受信する受信部が構成されている。
なお、本実施形態のＧＰＳ受信回路３０は、１２個の衛星信号を同時に捕捉、受信できるように１２チャンネルの受信回路を備えている。
【００３３】
［制御回路］
制御回路４０は、電子時計１を制御するためのＣＰＵで構成され、生成部４１と、受信制御部４２と、表示制御部４３とを備える。
生成部４１は、ＧＰＳアンテナ２０およびＧＰＳ受信回路３０で受信した衛星信号から時刻情報や測位計算用情報を取得し、これらの取得情報から時刻情報や現在地の位置情報等の生成情報を生成し、記憶部５０に記憶する。
【００３４】
さらに、生成部４１は、図示しない水晶振動子、発振回路で生成される基準信号をカウントして、内部時刻データを更新する。内部時刻データは、前記受信時刻データをＵＴＣオフセットで修正し、さらに時差情報で修正した現地時刻である。このため、生成部４１は、衛星信号を受信した場合には、受信した受信時刻データをＵＴＣオフセットおよび時差情報で修正して内部時刻データを更新する。また、生成部４１は、衛星信号を受信していない場合には、前記基準信号で内部時刻データを更新する。
【００３５】
受信制御部４２は、前記内部時刻データがあらかじめ設定された受信時刻になった際に実行される定刻自動受信処理時と、ボタン１５，１６の操作によって実行される手動受信処理時に、ＧＰＳ受信回路３０を制御してＧＰＳ信号の受信処理を行う。
そのため、受信制御部４２は、取得情報設定部４２１、衛星捕捉制御部４２２、受信状態判定部４２３、受信停止制御部４２４を備える。
取得情報設定部４２１は、後述するように、衛星信号から取得する取得情報Ａの種類を設定する。衛星捕捉制御部４２２は、前記ＧＰＳ受信回路３０を制御して全ＧＰＳ衛星１００の捕捉処理を実行する。
【００３６】
受信状態判定部４２３は、捕捉されたＧＰＳ衛星１００の捕捉衛星数および捕捉されたＧＰＳ衛星１００から受信した衛星信号の受信信号レベルを、予め設定した所定時間Ｉの間隔で確認し、取得情報設定部４２１で設定された取得情報Ａの種類に応じて設定される受信条件を満たしているかを判定する。
受信停止制御部４２４は、受信状態判定部４２３で受信条件に満たないと判定した場合は受信を停止し、受信条件を満たしていると判定した場合は受信を継続し、取得情報Ａが取得された場合または受信処理開始時からの経過時間が予め設定したタイムアウト時間Ｔを経過した場合は受信を停止する。
【００３７】
表示制御部４３は、前記時計部６０の駆動を制御して現在時刻を表示する。時計部６０は、指針１２およびこの指針１２を駆動するモーターなどを備える。
また、表示制御部４３は、測位計算用情報を取得した場合、その測位計算用情報から生成される測位結果である現在地の位置情報に対応するタイムゾーンを秒針１２１等で指示する。すなわち、文字板１１の外周には、図示略のタイムゾーンを指示する都市名の略語が表示される。そして、測位計算用情報を取得し、現在地の位置情報を生成した場合には、表示制御部４３は、その位置情報が含まれるタイムゾーンの都市名を秒針１２１で一定時間指示する。
従って、時計部６０および表示制御部４３により、時刻情報等の生成部４１で生成された生成情報を表示する表示部が構成されている。
また、表示制御部４３は、通常は、基準信号による内部時刻データの更新に連動して指針１２を駆動する。そして、衛星信号を受信し、受信した時刻データに基づいて内部時刻データを修正する場合には、その修正に連動して指針１２を駆動し、正しい時刻が表示されるようにする。
【００３８】
［記憶部］
記憶部５０には、前記ＧＰＳ受信回路３０で取得された取得情報や、生成部４１で生成された生成情報が記憶される。例えば、記憶部５０には、受信時刻データ（衛星時刻情報）、測位計算用情報（軌道情報等）や測位結果の位置情報、ＵＴＣオフセット、時差情報、内部時刻データが記憶される。
【００３９】
ＵＴＣオフセットは、ＧＰＳの衛星信号のサブフレーム１４、ページ１８に含まれる「現在のうるう秒」の情報を取得して記憶したものである。
【００４０】
時差情報は、ＵＴＣを現地時刻に修正する時差データである。この時差データは、ユーザーがリューズ１４やボタン１５，１６を操作することで設定してもよいし、測位モードでの受信時（測位処理時）に取得した測位計算用情報から生成される位置情報に基づいて設定してもよい。生成された位置情報で時差データを得る場合には、記憶部５０に位置情報（測位結果）と時差データ（タイムゾーン）との対応表を記憶しておけば良い。
【００４１】
記憶部５０には、受信状態判定プログラム（ロジック）で用いられる表１の判定条件も記憶される。
【表１】
2014066551.tif 000003
【００４２】
表１に示すように、判定条件は、取得情報種類、受信信号レベル閾値、捕捉衛星数、受信状態確認時間間隔、タイムアウト時間の５種類が設定される。
取得情報種類は衛星信号から取得する情報の種類を示し、具体的には、「時刻情報、測位計算用情報、日付情報、うるう秒情報」の４種類の情報である。
【００４３】
受信信号レベル閾値は、捕捉しているＧＰＳ衛星１００を判定するための閾値である。すなわち、受信状態を判定する場合に、受信信号レベルがこの閾値を超えたＧＰＳ衛星１００を捕捉衛星と判定する。
なお、本実施形態では、受信信号レベル閾値はすべて同じ値（ＳＮＲ：３０）としていたが、取得情報の種類に応じて変更してもよい。なお、ＳＮＲ：３０は、一般的には−１４０ｄＢｍ相当である。
【００４４】
捕捉衛星数は、受信条件を満たしているかを判定する閾値である。例えば、受信条件の判定時に、前記閾値以上の受信信号レベルとなったＧＰＳ衛星１００が、前記捕捉衛星数以上存在する場合に、受信条件を満たしていると判定する。
この捕捉衛星数は、取得情報種類に対応して設定されている。具体的には、取得情報が時刻情報の場合、捕捉衛星数は「１」に設定され、測位計算用情報の場合は「２」に設定され、日付情報およびうるう秒情報の場合はそれぞれ「２」に設定されている。
【００４５】
受信状態確認時間間隔は、受信条件を満たしているかを判定する所定時間間隔を設定するものである。具体的には、受信状態確認時間間隔は、取得情報が時刻情報の場合は１５秒、測位計算用情報、日付情報、うるう秒情報の場合はそれぞれ３０秒に設定されている。
【００４６】
タイムアウト時間は、取得情報を取得できない場合に、受信を終了するタイミングを設定するものである。具体的には、タイムアウト時間は、取得情報が時刻情報の場合は６０秒、測位計算用情報、日付情報、うるう秒情報の場合はそれぞれ１２０秒に設定されている。
【００４７】
［航法メッセージ］
ここで、前記各取得情報が含まれるＧＰＳ衛星１００から送信される衛星信号である航法メッセージについて、説明する。なお、航法メッセージは、５０ｂｐｓのデータとして衛星の電波に変調されている。
図３（Ａ）〜図３（Ｃ）は、航法メッセージの構成について説明するための図である。
図３（Ａ）に示すように、航法メッセージは、全ビット数１５００ビットのメインフレームを１単位とするデータとして構成される。メインフレームは、それぞれ３００ビットの５つのサブフレーム１〜５に分割されている。１つのサブフレームのデータは、各ＧＰＳ衛星１００から６秒で送信される。従って、１つのメインフレームのデータは、各ＧＰＳ衛星１００から３０秒で送信される。
【００４８】
サブフレーム１には、週番号データ（ＷＮ：week number）や衛星補正データが含まれている。
週番号データは、現在のＧＰＳ時刻情報が含まれる週を表す情報であり、１週間単位で更新される。
サブフレーム２、３には、エフェメリスパラメーター（各ＧＰＳ衛星１００の詳細な軌道報）が含まれる。また、サブフレーム４、５には、アルマナックパラメーター（全ＧＰＳ衛星１００の概略軌道情報）が含まれている。
【００４９】
さらに、サブフレーム１〜５には、先頭から、３０ビットのＴＬＭ（Telemetry word）データが格納されたＴＬＭ（Telemetry）ワードと３０ビットのＨＯＷ（hand over word）データが格納されたＨＯＷワードが含まれている。
【００５０】
従って、ＴＬＭワードやＨＯＷワードは、ＧＰＳ衛星１００から６秒間隔で送信されるのに対し、週番号データや衛星補正データ、エフェメリスパラメーター、アルマナックパラメーターは３０秒間隔で送信される。
【００５１】
図３（Ｂ）に示すように、ＴＬＭワードには、プリアンブルデータ、ＴＬＭメッセージ、Reservedビット、パリティデータが含まれている。
【００５２】
図３（Ｃ）に示すように、ＨＯＷワードには、ＴＯＷ（Time of Week、「Ｚカウント」ともいう）というＧＰＳ時刻情報が含まれている。Ｚカウントデータは毎週日曜日の０時からの経過時間が秒で表示され、翌週の日曜日の０時に０に戻るようになっている。つまり、Ｚカウントデータは、週の初めから一週間毎に示される秒単位の情報である。このＺカウントデータは、次のサブフレームデータの先頭ビットが送信されるＧＰＳ時刻情報を示す。
【００５３】
従って、電子時計１は、サブフレーム１に含まれる週番号データとサブフレーム１〜５に含まれるＨＯＷワード（Ｚカウントデータ）を取得することで、日付情報および時刻情報を取得することができる。ただし、電子時計１は、以前に週番号データを取得し、週番号データを取得した時期からの経過時間を内部でカウントしている場合は、週番号データを取得しなくてもＧＰＳ衛星の現在の過番号データを得ることができる。
従って、電子時計１は、リセット後や電源投入時のように、内部に週番号データ（日付情報）を記憶していない場合のみ、サブフレーム１の週番号データを取得すれば良い。そして、週番号データを記憶している場合は、電子時計１は、６秒毎に送信されるＴＯＷを取得すれば、現在時刻が分かるようになっている。このため、電子時計１は、通常、時刻情報としてＴＯＷのみを取得する。
【００５４】
うるう秒情報は、前述のとおり、サブフレーム４、ページ１８に含まれる「現在のうるう秒」の情報を取得して記憶する。また、サブフレーム４、ページ１８には、「うるう秒の更新週、更新日、更新後のうるう秒」の情報も含まれ、うるう秒の更新が行われる場合にはそのタイミングを予告している。うるう秒が更新される場合、通常は、１２月か６月の末日に実行される。このため、電子時計１は、１２月末および６月末の一定期間前に、うるう秒情報の取得処理を行ってサブフレーム１４、ページ１８を受信すれば、うるう秒の更新の有無および更新が有る場合のうるう秒の補正値を取得できる。
【００５５】
［位置情報］
電子時計１の位置情報を生成するには、位置情報を生成するための測位計算用情報として、３つ以上（好ましくは４つ）のＧＰＳ衛星１００から送信されるエフェメリスパラメーターを受信する必要がある。この際、複数のＧＰＳ衛星１００を同時に捕捉して受信する場合、エフェメリスパラメーターの受信および測位計算を行って測位結果の位置情報を取得するには、アルマナックデータを保持しないコールドスタート状態では約３０秒〜１分の時間が必要である。
【００５６】
［受信処理］
次に、電子時計１の受信処理について、図４のフローチャートも参照して説明する。
図４に示す受信処理は、前述の通り、利用者の受信操作が行われた場合と、予め設定された受信時刻になった場合に実行される。
【００５７】
受信処理が実行されると、受信制御部４２の取得情報設定部４２１は、取得情報Ａの種類を設定する（Ｓ１）。
例えば、測位モードで手動受信操作が行われた場合には、受信制御部４２は、取得情報Ａとして測位計算用情報を設定する。
また、測時モードで手動受信操作が行われた場合や、自動受信処理が行われた場合には、取得情報設定部４２１は、まず日付情報（週番号データ）が記憶部５０に記憶されているかを確認する。そして、取得情報設定部４２１は、日付情報が記憶されていない場合は取得情報Ａとして日付情報を設定し、記憶されている場合は取得情報Ａとして時刻情報を設定する。
さらに、うるう秒が更新される可能性がある１２月末や６月末から所定期間前、例えば１２月１日や６月１日から１ヶ月の期間であり、かつ、うるう秒情報が未取得の場合に、測時モードでの受信処理が行われた際には、取得情報Ａとしてうるう秒を設定する。
【００５８】
次に、受信状態判定部４２３は、記憶部５０に記憶された前記表１の受信条件設定用のパラメーターを参照し、取得情報設定部４２１で設定された取得情報Ａに対応する受信信号レベルの閾値Ｓ、捕捉衛星数Ｎ、受信状態確認時間間隔の所定時間Ｉ、タイムアウト時間Ｔを設定する（Ｓ２）。
例えば、受信状態判定部４２３は、取得情報Ａが時刻情報の場合、ＳＮＲの閾値Ｓは「３０」、捕捉衛星数Ｎは「１」、所定時間Ｉは「１５秒」、タイムアウト時間Ｔは「６０秒」に設定する。また、受信状態判定部４２３は、取得情報Ａが測位計算用情報の場合、閾値Ｓは「３０」、捕捉衛星数Ｎは「２」、所定時間Ｉは「３０秒」、タイムアウト時間Ｔは「１２０秒」に設定する。
さらに、受信状態判定部４２３は、取得情報Ａが日付情報やうるう秒情報の場合、ＳＮＲの閾値Ｓは「３０」、捕捉衛星数Ｎは「２」、所定時間Ｉは「３０秒」、タイムアウト時間Ｔは「１２０秒」に設定する。
なお、うるう秒情報は１２．５分毎に送信される。ただし、１２．５分間、受信を継続すると消費電流が大きくなる。このため、衛星捕捉制御部４２２は、受信開始時に受信したサブフレーム４，５のページを確認し、次にうるう秒情報を含むサブフレーム４、ページ１８が送信されるタイミングを算出し、そのタイミングに合わせて受信を再開するように制御する。前記所定時間Ｉやタイムアウト時間Ｔは、この受信再開時を基点にカウントされる。
【００５９】
そして、衛星捕捉制御部４２２は、ＧＰＳ衛星１００から送信される衛星信号の受信を開始する（Ｓ３）。具体的には、衛星捕捉制御部４２２は、ＧＰＳ受信回路３０を制御し、ＧＰＳ衛星１００のＣ／Ａコードのパターンを発生させて受信を開始する。そして、各Ｃ／Ａコードと受信した衛星信号の相関値を求め、同期できるＧＰＳ衛星１００を捕捉する。
【００６０】
次に、受信状態判定部４２３は、前記所定時間Ｉのタイミングになったかを判定する（Ｓ４）。具体的には、受信開始時からの経過時間が前記所定時間Ｉのｎ倍のタイミングであるかを判定する。
従って、所定時間Ｉが１５秒であれば、受信開始時から１５秒、３０秒、４５秒、６０秒のタイミングになると、Ｓ４でＹｅｓと判定する。
また、所定時間Ｉが３０秒であれば、受信開始時から３０秒、６０秒、９０秒、１２０秒のタイミングになると、Ｓ４でＹｅｓと判定する。
一方、Ｓ４でＮｏと判定した場合は、Ｓ４の判定処理に戻る。
【００６１】
Ｓ４でＹｅｓと判定されると、受信状態判定部４２３は、受信信号レベルが閾値Ｓ以上のＧＰＳ衛星１００を捕捉衛星数Ｎ個以上捕捉できたか否かを判定する（Ｓ５）。
Ｓ５でＹｅｓと判定されると、生成部４１は、捕捉しているＧＰＳ衛星１００から衛星信号を受信して、情報Ａを取得したかを判定する（Ｓ６）。例えば、生成部４１は、取得情報Ａが時刻情報である場合、１つのＧＰＳ衛星１００から受信した衛星信号から生成したＧＰＳ時刻情報を、ＵＴＣオフセットで修正し、さらに時差情報で修正して現地時刻を生成し、この現地時刻が内部時刻データと一致すれば時刻情報を取得できたと判定する。
【００６２】
生成部４１は、日付情報やうるう秒情報を取得する場合、２つのＧＰＳ衛星１００から受信した衛星信号から生成した日付情報同士やうるう秒情報同士が同じであるか否かで、これらの情報を取得できたかを判定できる。
また、測位計算用情報を取得する場合は、生成部４１は、４つ以上のＧＰＳ衛星１００から受信した衛星信号から取得した測位計算用情報（エフェメリスパラメーター等）で生成した位置情報（緯度、経度、高度）が予め設定した範囲内であるかを確認することで、正しい位置情報（測位結果）を取得できたかを判定できる。
【００６３】
Ｓ６でＹｅｓと判定した場合、受信停止制御部４２４は受信動作を終了する（Ｓ７）。
また、表示制御部４３は、秒針１２１を移動して受信成功表示を行う。受信成功表示は、前述したように、秒針１２１を「ＦＩＸ」（測位計算用情報取得の場合）、「Ｔｉｍｅ」（時刻情報、日付情報、うるう秒情報のいずれかを取得の場合）に移動する（Ｓ７）。
さらに、表示制御部４３は、取得情報から生成した生成情報によって内部時刻（現在時刻、日付、うるう秒など）や位置情報を修正する（Ｓ７）。
そして、受信制御部４２は受信制御処理を終了する。これにより、一定時間、受信成功表示を行っていた秒針１２１も、修正された現在時刻等を指示するために移動して、通常の時刻表示に戻る。
【００６４】
一方、Ｓ６でＮｏと判定した場合、受信停止制御部４２４は、タイムアウト時間Ｔを経過したかを判定する（Ｓ８）。
例えば、取得情報が時刻情報の場合、タイムアウト時間Ｔは６０秒に設定されている。このため、受信処理の開始から６０秒が経過してＳ４でＹｅｓと判定され、Ｓ５でＹｅｓ、Ｓ６でＮｏと判定された場合、タイムアウト時間Ｔ＝６０秒を経過しているので、Ｓ８でＹｅｓと判定される。一方、受信開始からタイムアウト時間Ｔになるまでは、Ｓ８でＮｏと判定されるため、受信制御部４２はＳ４の判定処理に戻って制御処理を継続する。
【００６５】
情報Ａを取得できずにタイムアウトとなった場合は、例えば電子時計１を装着しながら歩行しており、衛星は捕捉できるものの受信が安定せずに情報取得に適さない状態にある可能性が高い。
従って、Ｓ８でＹｅｓと判定された場合、受信停止制御部４２４は受信動作を終了し、表示制御部４３は秒針１２１によって受信失敗の表示を行う（Ｓ９）。そして、受信制御部４２は受信制御処理を終了する。これにより、一定期間、受信失敗表示を行っていた秒針１２１も、元の時刻表示に戻る。この際、情報Ａの取得に失敗しているので、計時していた内部時刻を表示して通常の時刻表示に戻る。
【００６６】
また、Ｓ５でＮｏと判定された場合、すなわち、所定時間Ｉのタイミングにおいて受信条件を満足していない場合、受信停止制御部４２４は、受信動作を終了し、表示制御部４３は秒針１２１によって受信失敗の表示を行う（Ｓ９）。そして、受信制御部４２は受信制御処理を終了する。
【００６７】
図５は、時刻情報を取得する場合の受信状態の判定例を説明する図である。受信状態判定部４２３は、１５秒毎に受信状態を判定する。
実線５１に示すように、受信開始から１５秒に達するまでに１つのＧＰＳ衛星１００を捕捉し、その後、ＧＰＳ衛星１００を継続して捕捉した場合、１５秒，３０秒，４５秒，６０秒の各判定タイミングで受信条件を満たすため、時刻情報を取得した場合かタイムアウト時間になるまで受信を継続する。
【００６８】
一方、一点鎖線５２に示すように、受信開始から１５秒に達するまでに１つのＧＰＳ衛星１００を捕捉したが、１５秒から３０秒の間で捕捉できなくなった場合、１５秒の判定タイミングでは受信条件を満たすため、受信を継続するが、３０秒の判定タイミングでは受信条件を満たさないため、受信を停止する。
また、二点鎖線５３に示すように、受信開始から１５秒に達するまでに１つのＧＰＳ衛星１００を捕捉し、３０秒から４５秒の間で一旦捕捉できなくなるが、再度、捕捉できる状態になった場合、１５秒、３０秒、４５秒、６０秒の判定タイミングでは受信条件を満たすため、受信を継続する。すなわち、判定タイミング以外で受信条件を満たさない状態となっても、判定タイミングで受信条件を満たす以上、受信を継続する。
なお、当然ながら、１５秒の判定タイミングで受信条件を満たしていない場合は、その時点で受信を停止する。
【００６９】
このような本実施形態によれば、次のような効果がある。
（１）本実施形態によれば、受信状態判定部４２３は、所定時間Ｉの間隔で受信条件を満たしているかを判定する。そして、受信停止制御部４２４は、所定時間Ｉの間隔での受信条件を満たしているか否かの確認結果で、受信の継続や停止を制御する。また、取得情報Ａを取得できない場合に受信処理を終了するためのタイムアウト時間Ｔも、取得情報の種類に応じて固定されている。
従って、従来のように、捕捉衛星数および受信レベルでタイムアウト時間を変更して制御する場合に比べて、本実施形態は受信制御を簡単にできる。このため、受信制御処理を簡易にできて低機能な制御装置で実現でき、消費電力を低減できる。このため、本実施形態の受信制御は、ソーラー電池で充電される二次電池８０で駆動される電子時計（腕時計）１にも組み込むことができる。
【００７０】
（２）また、受信停止制御部４２４は、所定時間Ｉの間隔で受信条件を満たしていない場合にはタイムアウト時間内であっても受信を停止するため、受信環境が悪い状態で無駄に受信処理を継続することがなく、無駄な電力消費を抑制でき、電子時計１の持続時間も長くできる。
さらに、受信停止制御部４２４は、受信条件の判定時に条件に満たないと判定した場合は、即座に受信を停止するため、受信が困難な環境にいることを早期にユーザーに通知できる。従って、ユーザーに受信環境を変えてもらうことができ、再度の強制受信操作などを行うことで、受信に成功する確率も向上できる。
【００７１】
（３）本実施形態では、時刻情報を取得する場合は、受信条件として捕捉衛星数を１とし、測位計算用情報や日付情報、うるう秒情報を取得する場合は、受信条件として捕捉衛星数を２としている。このため、各情報の取得に適したＧＰＳ衛星１００を捕捉できる状態であるかを効果的に判定でき、各情報を取得できる確率を向上できるとともに、無駄な受信処理を継続することを防止でき、消費電力も抑制できる。
【００７２】
（４）本実施形態では、時刻情報を取得する場合は所定時間Ｉを１５秒、タイムアウト時間Ｔを６０秒とし、それ以外の情報を取得する場合は所定時間Ｉを３０秒、タイムアウト時間Ｔを１２０秒としている。このため、各情報の送信タイミングなどを考慮して受信条件を適切に判定できる。
【００７３】
［変形例］
なお、本発明は、前記実施形態に限らない。
例えば、受信状態判定部４２３は、受信開始後の１回目の判定タイミングまでの所定時間Ｉを第１所定時間Ｉ１とし、それ以降の所定時間Ｉを第２所定時間Ｉ２とし、第２所定時間Ｉ２を第１所定時間Ｉ１よりも短い時間に設定してもよい。例えば、第１所定時間Ｉ１を３０秒、第２所定時間Ｉ２を１５秒などに設定すればよい。
この場合、図６に示すように、Ｓ２では、所定時間Ｉとして第１所定時間Ｉ１を設定する。従って、受信処理の開始後、第１所定時間Ｉ１（例えば３０秒）経過時点で、最初のＳ４の判定処理を行う。そして、Ｓ８でＮｏと判定された場合、所定時間Ｉとして第２所定時間Ｉ２（例えば１５秒）を設定する。このため、２回目以降のＳ４の判定処理は、前回の判定タイミングから第２所定時間Ｉ２の経過時点で行われる。
このため、図６のフローチャートでは、受信開始後、例えば、３０秒（第１所定時間Ｉ１）、４５秒（第２所定時間Ｉ２、以後同じ）、６０秒等とタイムアウト時間Ｔまで判定処理が行われる。
なお、図６に示すその他の処理は前記実施形態と同じであるため、説明を省略する。
【００７４】
このような変形例によれば、受信判定処理の第１回目は第１所定時間経過後にしているので、安定した受信状態で判定処理を行うことができ、複数の衛星を捕捉する必要がある場合でも受信状態を正しく判定できる。
さらに、受信判定処理の２回目以降は第２所定時間Ｉ２の間隔で受信条件を判定しているので、受信条件が悪化して衛星を捕捉できなくなった場合も、迅速に検出できる。従って、無駄な受信を継続することを防止できる。
【００７５】
なお、第１所定時間Ｉ１、第２所定時間Ｉ２の設定は、各種取得情報のうち、一部の情報を取得する場合のみ設定してもよい。例えば、測位計算用情報を取得する場合のみ、第１，２の所定時間を設定してもよいし、測位計算用情報、日付情報、うるう秒情報等の２つの衛星を捕捉する場合に、第１，２の所定時間を設定してもよい。
【００７６】
さらに、前記実施形態では、測位計算用情報を取得する場合に、捕捉衛星数Ｎを「２」としていたが、「３」以上に設定してもよい。すなわち、測位計算用情報を取得するには、通常、４つのＧＰＳ衛星１００を捕捉する必要があるため、受信継続の判定条件としても「２」よりも大きな値にしてもよい。
また、日付情報、うるう秒情報を取得する場合に、時刻情報と同様に、捕捉衛星数Ｎを「１」としてもよい。
ただし、日付情報、うるう秒情報は、受信する機会が少ない点を考慮し、受信時に２つの衛星からデータを取得して整合性を確認できるようにするため、前記実施形態のように捕捉衛星数Ｎを「２」とすることが好ましい。
【００７７】
また、自動受信処理としては、定時自動受信処理に限らず、例えば、ソーラーパネルの発電電力を検出して電子時計１が屋外に配置されていると判定した場合に自動的に受信する屋外判定自動受信処理を行ってもよい。なお、この屋外判定による自動受信処理は、前回の屋外判定自動受信処理から所定時間経過後に実施することで、１日に１回程度の頻度で実施すればよい。
【００７８】
本発明の電子時計は、指針を有するアナログ時計に限らず、指針およびディスプレイを有するコンビネーション時計や、ディスプレイのみを有するデジタル時計に適用してもよい。さらに、本発明は、腕時計に限らず、置き時計や懐中時計などの各種時計や、携帯電話機、デジタルカメラ、ＰＮＤ（パーソナル・ナビゲーション・デバイス）、カーナビなどの時計機能を有する各種情報端末等に適用してもよい。
【００７９】
また、上述の実施形態は、位置情報衛星の例としてＧＰＳ衛星について説明したが、本発明の位置情報衛星としては、ＧＰＳ衛星だけではなく、ガリレオ（ＥＵ）、ＧＬＯＮＡＳＳ（ロシア）、北斗（中国）などの他の全地球的航法衛星システム（ＧＮＳＳ）や、ＳＢＡＳなどの静止衛星や準天頂衛星などの時刻情報を含む衛星信号を発信する位置情報衛星でもよい。
【符号の説明】
【００８０】
１…電子時計、１２…指針、１４…リューズ、１５，１６…ボタン、２０…ＧＰＳアンテナ、３０…ＧＰＳ受信回路、４０…制御回路、４１…生成部、４２…受信制御部、４３…表示制御部、５０…記憶部、６０…時計部、７０…発電装置、８０…二次電池、１００…ＧＰＳ衛星、１２１…秒針、１２２…分針、１２３…時針、４２１…取得情報設定部、４２２…衛星捕捉制御部、４２３…受信状態判定部、４２４…受信停止制御部。
【図１】
2014066551.tif 000004
【図２】
2014066551.tif 000005
【図３】
2014066551.tif 000006
【図４】
2014066551.tif 000007
【図５】
2014066551.tif 000008
【図６】
2014066551.tif 000009